(57)【要約】【課題】  従来の車輌天井への後付け物品取付装置では、既設の梁等に孔あけ加工する必要があり、その際天井板に傷をつけたり、天井板に孔をあけてしまう等の恐れがあった。【解決手段】  本発明の車輌天井への後付け物品取付装置においては、車輌の天井板に沿って延びる梁に取付部材を着脱自在に取り付け、この取付部材に物品保持部材を固定する。上記取付部材は、上記天井板と梁間の隙間に挿入される挿入部と、この挿入部と共に上記梁を挟持する挟持部材とより成る。上記物品保持部材は、上記取付部材に固定された、長孔を有する接続具と、この長孔の上面に載置されたナットと、上記接続具の下面に対接される、長孔を有する物品吊下具と、この物品吊下具の下面から上記両長孔を貫通して延び上記ナットに螺合されるねじとより成る。【選択図】  図３
2005104349.tif 000002
【特許請求の範囲】
【請求項１】
車輌の天井板に沿って延びる梁に着脱自在に取り付ける取付部材と、この取付部材に設けた物品保持手段を有する、車輌天井への後付け物品取付装置において、上記取付部材が、上記天井板と梁間の隙間に挿入される挿入部と、この挿入部と共に上記梁を挟持する挟持手段とより成ることを特徴とする車輌天井への後付け物品取付装置。
【請求項２】
上記挿入部と共に上記梁を挟持する挟持手段が、上記挿入部と一体で且つ対向して配置されたナットと、上記ナットと螺合し先端部を上記梁に当接可能なねじとより成ることを特徴とする請求項１記載の車輌天井への後付け物品取付装置。
【請求項３】
車輌の天井板に沿って延びる梁に着脱自在に取り付ける取付部材と、この取付部材に設けた物品保持手段を有する、車輌天井への後付け物品取付装置において、上記物品保持手段が、上記取付部材と一体に構成され水平面に長孔を有する接続部と、この長孔の上面に載置されたナットと、下方から上記長孔を貫通して延び上記ナットに螺合される物品保持用ねじとより成ることを特徴とする車輌天井への後付け物品取付装置。
【請求項４】
車輌の天井板に沿って延びる梁に着脱自在に取り付ける取付部材と、この取付部材に設けた物品保持手段を有する、車輌天井への後付け物品取付装置において、上記物品保持手段が、上記取付部材と一体に構成され水平面に長孔を有する接続部と、上方から上記長孔を貫通して延びナットに螺合される物品保持用ねじとより成ることを特徴とする車輌天井への後付け物品取付装置。
【請求項５】
車輌の天井板に沿って延びる梁に着脱自在に取り付ける取付部材と、この取付部材に設けた物品保持手段を有する、車輌天井への後付け物品取付装置において、上記物品保持手段が、上記取付部材と一体に構成され水平面に孔を有する接続部と、この孔の上面に載置されたナットと、上記接続部の下面に対接される、複数の長孔を有する物品吊下具と、この物品吊下具の下面から上記物品吊下具の長孔と、上記取付部材の接続部の孔を貫通して延び上記ナットに螺合される物品吊下具固定用ねじと、前記物品吊下具に設けられた物品保持用孔と、上記物品保持用孔を貫通する物品保持用ねじと、上記ねじと螺合するナットとより成ることを特徴とする車輌天井への後付け物品取付装置。
【請求項６】
上記接続部の上面に載置されたナットが廻り止め手段を有することを特徴とする請求項３または５記載の車輌天井への後付け物品取付装置。
【発明の詳細な説明】
【技術分野】
【０００１】
本発明は車輌天井への後付け物品取付装置、特に、車輌天井を通る梁を利用する後付け物品取付装置に関するものである。
【背景技術】
【０００２】
従来、車輌のアシストグリップの取付構造を利用してテレビやナビゲーションシステム等の表示装置を車輌に取付けるようにしたものは知られている（特許文献１及び２）。
【０００３】
また、車輌の天井を通る梁に特殊な部品（グロメット）で取り付けたブラケットにテレビを取り付け、吊り下げるようにしたものも知られている。（特許文献３）。
【０００４】
更に、車輌の天井を通る梁に２本の支杆を取り付け、テレビを吊下するブラケットの３本のステーを夫々上記梁と２本の支杆に掛け渡すようにしたものも知られている（特許文献４）。
【特許文献１】特開２０００−２７２４３１号公報（図４）。
【特許文献２】特開２００２−３６２２４２号公報（図１）。
【特許文献３】特開２００２−２２７８１８号公報（図１）。
【特許文献４】実開昭６４−３３２７１号公報（図２）。
【発明の開示】
【発明が解決しようとする課題】
【０００５】
然しながら上記公知例では取付構造が車輌の天井内張りから露出する為、見栄えが悪く、乗員の頭部と干渉し安全上も好ましく無い。また、車種毎に予め設けてある孔を使用する場合、使用するブラケット等が車種毎の専用品になる為に、コストＵＰになってしまう。更に、アクセサリー等の後付け物品を取り付けるためには内装をはがして既設の梁等に孔あけ加工する必要があり、その際天井板に傷をつけたり、天井板に孔をあけてしまう等の恐れがあった。
【０００６】
なお、上記後付け物品としてはカーＡＶシステムの中核となる後席用ヘッドアップディスプレイ、サングラス等を入れるための小物入れ（オーバーヘッドコンソール）、シャンデリア等の大型のルームランプ、空気清浄機等がある。
【０００７】
本発明はミニバンタイプの車輌等では天井のヘッドクリアランスに余裕があることに注目した結果なされたものである。
【課題を解決するための手段】
【０００８】
本発明の車輌天井への後付け物品取付装置は、車輌の天井板に沿って延びる梁に着脱自在に取り付ける取付部材と、この取付部材に設けた物品保持手段を有する、車輌天井への後付け物品取付装置において、上記取付部材が、上記天井板と梁間の隙間に挿入される挿入部と、この挿入部と共に上記梁を挟持する挟持手段とより成ることを特徴とする。
【０００９】
上記挿入部と共に上記梁を挟持する挟持手段は、上記挿入部と一体で且つ対向して配置されたナットと、上記ナットと螺合し先端部を上記梁に当接可能なねじとより成ることを特徴とする。
【００１０】
また、本発明の車輌天井への後付け物品取付装置は、車輌の天井板に沿って延びる梁に着脱自在に取り付ける取付部材と、この取付部材に設けた物品保持手段を有する、車輌天井への後付け物品取付装置において、上記物品保持手段が、上記取付部材と一体に構成され水平面に長孔を有する接続部と、この長孔の上面に載置されたナットと、下方から上記長孔を貫通して延び上記ナットに螺合される物品保持用ねじとより成ることを特徴とする。
【００１１】
また、本発明の車輌天井への後付け物品取付装置は、車輌の天井板に沿って延びる梁に着脱自在に取り付ける取付部材と、この取付部材に設けた物品保持手段を有する、車輌天井への後付け物品取付装置において、上記物品保持手段が、上記取付部材と一体に構成され水平面に長孔を有する接続部と、上方から上記長孔を貫通して延びナットに螺合される物品保持用ねじとより成ることを特徴とする。
【００１２】
また、本発明の車輌天井への後付け物品取付装置は、車輌の天井板に沿って延びる梁に着脱自在に取り付ける取付部材と、この取付部材に設けた物品保持手段を有する、車輌天井への後付け物品取付装置において、上記物品保持手段が、上記取付部材と一体に構成され水平面に孔を有する接続部と、この孔の上面に載置されたナットと、上記接続部の下面に対接される、複数の長孔を有する物品吊下具と、この物品吊下具の下面から上記物品吊下具の長孔と、上記取付部材の接続部の孔を貫通して延び上記ナットに螺合される物品吊下具固定用ねじと、前記物品吊下具に設けられた物品保持用孔と、上記物品保持用孔を貫通する物品保持用ねじと、上記ねじと螺合するナットとより成ることを特徴とする。
【００１３】
上記接続部の上面に載置されたナットは、廻り止め手段を有することを特徴とする。
【発明の効果】
【００１４】
本発明においては天井の既設の梁と天井板との間の隙間を利用したので梁に孔あけ加工等を必要とせず、また、大小何れの物品をも極めて簡単容易に後付けできるようになる大きな利益がある。
【発明を実施するための最良の形態】
【００１５】
以下図面によって本発明の実施例を説明する。
【実施例１】
【００１６】
本発明の車輌天井への後付け物品取付装置は、図１及び図２に示すように車輌の天井板１の内面に若干の間隙を介して配置されている例えばフランジ付きチャンネル状の断面を有する長尺の梁２に対し着脱自在に取り付ける取付部材３と、この取付部材３に固定された、アクセサリー等の物品（図示せず）を吊下、保持する物品保持部材４とにより構成せしめる。
【００１７】
上記取付部材３は、上記天井板１と梁２との間の隙間に挿入される、上記梁２の幅全体に亘って延びる長さの上板部分５と、この上板部分５の一端から垂直下方に延びる垂直部分６と、この垂直部分６の下端から上記上板部分５に沿って水平に延びる上記梁２のフランジの長さより短い長さの下板部分７と、この下板部分７にあけたねじ孔に螺合し、その先端が上記フランジの下面に対接される固定ねじ８とによって構成し、この固定ねじ８を締め付けることによって上記取付部材３を上記梁２に固定できるようにする。
【００１８】
また、上記物品保持部材４は、上記取付部材３の垂直部分６にその垂直部分９を熔接等により固定した十分な長さのＬ字状接続具１０と、このＬ字状接続具１０の水平部分１１に形成したその長さ方向に沿って延びる長孔１２と、図３に示すように上記Ｌ字状接続具１０の水平部分１１の下面に対接される、横方向及び縦方向に延びる複数の長孔１３を有する矩形状の物品吊下板１４と、この物品吊下板１４の長孔１３の任意のものを通して物品吊下板１４の下側から上記Ｌ字状接続具１０の長孔１２に挿入される物品保持用ねじ１５と、この物品保持用ねじ１５に上記Ｌ字状接続具１０の水平部分１１の上面側で螺合した、短柵状水平袖片１６を有するＴ字ナット１７とにより構成せしめる。
【００１９】
なお、物品保持用ねじ１５を締付けのため回動した際、Ｔ字ナット１７も共に回動するようになる場合にはＴ字ナット１７の水平袖片１６がＬ字状接続具１０の垂直部分９に突き当り、Ｔ字ナット１７の回動が阻止されるようにする。
【００２０】
また、上記Ｔ字ナット１７は物品保持用ねじ１５に螺合されていない状態でも、Ｌ字状接続具１０の水平部分１１上に保持されるよう図４及び図５に示すよう上記Ｔ字ナット１７の水平袖片１６に板状の押えパッド１８を重ね、この押えパッド１８の端面に形成した耳片１９，１９を夫々上記Ｌ字状接続具１０の垂直部分９及び水平部分１１の立ち上がり部２０に形成した溝内に挿通せしめる。
【００２１】
本発明の車輌天井への後付け物品取付装置は上記のような構成であるから車輌天井に後付け物品を取付ける場合には、天井板１と梁２との間の隙間に取付部材３の上板部分５を挿入し、取付部材３の下板部分７のねじ孔に固定ねじ８を螺合してこの固定ねじ８の先端を梁２のフランジ下面に押圧すれば、上記取付部材３が上記梁２に固定されるようになる。
【００２２】
また、上記取付部材３に固定されているＬ字状接続具１０の水平部分１１の下面に図２及び図３に示すように物品吊下板１４を物品保持用ねじ１５とＴ字ナット１７とによって取り付ければ、上記物品吊下板１４を介して任意の物品を天井部分に取り付け得るようになる。
【００２３】
なお、物品の取付位置は上記Ｌ字状接続具１０の水平部分１１の長孔１２と、物品吊下板１４の長孔１３の位置を選択することによって横方向，縦方向に任意に調節できるようになる。
【００２４】
図６は、Ｔ字ナット１７の代りに六角ナット２１を用いた場合の斜視図であって、この場合にはこの六角ナット２１を受容せしめる長溝２２をＬ字状接続具１０の水平部分１１に形成せしめる。
【００２５】
なお、物品吊下板１４によって吊下すべき物品が極めて重い場合には図７に示すように物品吊下板１４の例えば４個所に上記取付部材３と物品保持部材４とを取付け、これらを梁２の４個所に取り付けるようにする。
【００２６】
図８は物品保持部材４における物品保持用ねじ１５によって物品２３を保持した例を示し、２４は天井内張、２５は隙間隠し用パッキングである。
【００２７】
図９は物品保持部材４における水平部分１１に形成した長孔１２の上方から物品保持用ねじ１５を物品２３に貫通せしめ、ナット２６を螺合した例である。
【００２８】
図１０は同じく水平部分１１の下面にスペーサ２７を介して物品吊下板１４を物品保持用ねじ１５によって取り付け、上記物品吊下板１４に物品２３を物品吊下具固定用ねじ２８によって取り付けた例を示す。
【図面の簡単な説明】
【００２９】
【図１】本発明の車輌天井への後付け物品取付装置の縦断正面図である。
【図２】図１に示す物品取付装置の要部の拡大平面図である。
【図３】図１に示す物品取付装置に物品吊下板を取り付けた状態の縦断正面図である。
【図４】Ｔ字ナット押えパッドを示す縦断正面図である。
【図５】図４の側面図である。
【図６】六角ナットを用いた物品保持部材の斜視図である。
【図７】物品吊下板を吊下する他の実施例の平面図である。
【図８】物品保持部材によって物品を保持する例の縦断正面図である。
【図９】物品保持部材によって物品を保持する例の縦断正面図である。
【図１０】物品吊下板によって物品を保持する例の縦断正面図である。
【符号の説明】
【００３０】
１  天井板
２  梁
３  取付部材
４  物品保持部材
５  上板部分
６  垂直部分
７  下板部分
８  固定ねじ
９  垂直部分
１０  Ｌ字状接続具
１１  水平部分
１２  長孔
１３  長孔
１４  物品吊下板
１５  物品保持用ねじ
１６  短柵状水平袖片
１７  Ｔ字ナット
１８  押えパッド
１９  耳片
２０  立ち上がり部
２１  六角ナット
２２  長溝
２３  物品
２４  天井内張
２５  隙間隠し用パッキング
２６  ナット
２７  スペーサ
２８  物品吊下具固定用ねじ
【図１】
2005104349.tif 000003
【図２】
2005104349.tif 000004
【図３】
2005104349.tif 000005
【図４】
2005104349.tif 000006
【図５】
2005104349.tif 000007
【図６】
2005104349.tif 000008
【図７】
2005104349.tif 000009
【図８】
2005104349.tif 000010
【図９】
2005104349.tif 000011
【図１０】
2005104349.tif 000012